(57)【要約】【課題】悪戯により呼出釦が押圧操作された場合にはインターホン親機から呼出音が出力されないようにして、居住者の煩わしさを低減する。【解決手段】ドアホン子器２の呼出釦２６ａが所定時間以上に亘って押圧操作された場合に、インターホン親機１が呼出音を出力するとともに、ドアホン子器２が通常の呼出バックトーン音を出力し、ドアホン子器２の呼出釦２６ａの押圧時間が所定時間に満たない場合には、インターホン親機１からの呼出音の出力を禁止するとともに、ドアホン子器２が呼出バックトーン音とは異なるエラー用バックトーン音を出力する。【選択図】図１
2010010836.tif 000002
【特許請求の範囲】
【請求項１】
住居の屋内に設置されたインターホン親機と、住居の玄関先に設置された呼出釦を具備するドアホン子器とを通話可能に接続したインターホンシステムにおいて、
前記ドアホン子器の呼出釦が所定時間以上に亘って押圧操作された場合に、前記インターホン親機が呼出音を出力するとともに、前記ドアホン子器が呼出バックトーン音を出力し、
前記ドアホン子器の呼出釦の押圧時間が前記所定時間に満たない場合は、前記インターホン親機からの呼出音の出力を禁止するとともに、前記ドアホン子器が前記呼出バックトーン音とは異なるエラー用バックトーン音を出力すること、を特徴とするインターホンシステム。
【請求項２】
前記ドアホン子器は当該ドアホン子器周辺の映像を撮影する映像撮影手段を備え、
前記ドアホン子器の呼出釦が押圧操作された場合に、当該呼出釦の押圧時間の長さに係わらず、前記インターホン親機が前記映像撮影手段により撮影された映像を表示および記録すること、を特徴とする請求項１に記載のインターホンシステム。
【発明の詳細な説明】
【技術分野】
【０００１】
本発明は、インターホン親機とドアホン子器とを通話可能に接続したインターホンシステムに関する。
【背景技術】
【０００２】
従来、住居の屋内に設置されたインターホン親機と住居の玄関先に設置されたドアホン子器とを通話可能に接続して、住居の居住者と来訪者との間で通話を行えるようにしたインターホンシステムが広く普及している。この種のインターホンシステムでは、通常、ドアホン子器の呼出釦が押圧操作されることに応じてインターホン親機から呼出音を出力することで、来訪者の訪問を居住者に知らせるようにしている。また、ドアホン子器の呼出釦を押さずに玄関先をうろつく不審者の存在を居住者が認識できるようにするために、インターホンシステムに人体検知センサを接続し、この人体検知センサが人体を検知してから所定時間を経過してもドアホン子器の呼出釦の操作がない場合に、インターホン親機から警報音を出力して不審者の存在を居住者に認識させるというインターホンシステムも知られている（例えば、特許文献１参照。）。
【特許文献１】特許第３３６８０１９号公報
【発明の開示】
【発明が解決しようとする課題】
【０００３】
しかしながら、特許文献１に記載されているインターホンシステムをはじめ、従来のインターホンシステムでは、ドアホン子器の呼出釦が押圧操作された場合には必ずインターホン親機から呼出音を出力する構成となっているため、不審者がドアホン子器の呼出釦を押して直ぐに逃げるといった悪戯を行った場合にもインターホン親機から呼出音が出力され、居住者に煩わしさを感じさせてしまうという問題があった。
【０００４】
本発明は、以上のような従来の実情に鑑みて創案されたものであって、悪戯により呼出釦が押圧操作された場合にはインターホン親機から呼出音が出力されないようにして、居住者の煩わしさを低減できるようにしたインターホンシステムを提供することを目的としている。
【課題を解決するための手段】
【０００５】
本発明のインターホンシステムは、ドアホン子器の呼出釦が所定時間以上に亘って押圧操作された場合に、インターホン親機が呼出音を出力するとともにドアホン子器が呼出バックトーン音を出力し、ドアホン子器の呼出釦の押圧時間が所定時間に満たない場合は、インターホン親機からの呼出音の出力を禁止するとともに、ドアホン子器が呼出バックトーン音とは異なるエラー用バックトーン音を出力する構成とすることで、上述した課題を解決する。
【発明の効果】
【０００６】
本発明のインターホンシステムによれば、ドアホン子器の呼出釦が所定時間以上に亘って押圧操作されないとインターホン親機から呼出音が出力されないので、不審者がドアホン子器の呼出釦を押して直ぐに逃げるといった悪戯を行った場合にはインターホン親機から呼出音が出力されず、居住者に煩わしさを感じさせることがない。また、呼出釦の押圧時間が所定時間に満たない場合にはドアホン子器から通常の呼出バックトーン音とは異なるエラー用バックトーン音が出力されるので、正規の来訪者が呼出釦を短時間しか押圧操作していない場合に、このエラー用バックトーン音により呼出釦の操作が十分でないことを来訪者に認識させることができ、呼出釦の十分な押圧操作を促すことができる。
【発明を実施するための最良の形態】
【０００７】
以下、本発明の具体的な実施の形態について、図面を参照しながら詳細に説明する。
【０００８】
図１は本実施形態のインターホンシステムの構成を示すブロック図であり、図２はインターホン親機の外観図、図３はドアホン子器の外観図である。まず、これらの図を参照して本実施形態のインターホンシステムの構成について説明する。
【０００９】
本実施形態のインターホンシステムは、図１に示すように、住居の屋内に設置されるインターホン親機１と、住居の玄関先に設置されるドアホン子器２とが２線式信号線３により接続されて、これらインターホン親機１とドアホン子器２との間で、双方の通話の音声信号、ドアホン子器２からの映像変調信号や呼出信号、インターホン親機１からの呼出応答信号やドアホン子器２への電源などを多重化した信号を送受信する構成とされている。
【００１０】
インターホン親機１は、電源部１１と、多重分離部１２と、映像信号受信部１３と、映像出力部１４と、映像記録部１５と、音回路部１６と、音入出力部１７と、操作入力部１８と、制御部１９とを備えている。
【００１１】
電源部１１は、例えば家庭用コンセントに接続されて、インターホン親機１を動作させるための電源を生成する。この電源部１１により生成された電源は、２線式信号線３を介してドアホン子器２にも供給され、ドアホン子器２での通話や映像撮影を行うための電源としても利用される。
【００１２】
多重分離部１２は、ドアホン子器２から送信され多重化されている映像変調信号、音声信号および呼出信号を分離する。多重分離部１２により分離されたドアホン子器２からの映像変調信号は映像信号受信部１３に供給され、音声信号は音回路部１６に供給され、呼出信号は制御部１９に供給される。また、多重分離部１２は、電源部１１で生成された電源および音回路部１６からの音声信号、制御部１９で生成した呼出応答信号を多重化して、２線式信号線３を介してドアホン子器２に送信する。
【００１３】
映像信号受信部１３は、制御部１９による制御に従って、多重分離部１２で分離されたドアホン子器２からの映像変調信号を映像信号に復調して、映像表示部１４および映像記録部１５に出力する。
【００１４】
映像出力部１４は、映像信号受信部１３から出力された映像信号に基づいた表示動作を行い、図２に示すようにインターホン親機１の筐体に組み込まれたモニタ画面１４ａに、ドアホン子器２の後述する映像撮影部２３により撮影されたドアホン子器２周辺の映像を表示する。
【００１５】
映像記録部１５は、映像信号受信部１３から出力された映像信号（ドアホン子器２の映像撮影部２３により撮影された映像）を映像記録媒体に記録する。
【００１６】
音回路部１６は、制御部１９による制御に従って、多重分離部１２で分離されたドアホン子器２からの音声信号を復調し増幅してから音入出力部１７に出力するとともに、音入出力部１７から入力された音声信号を増幅しＦＭ変調してから多重分離部１２に出力する。また、音回路部１６は、制御部１９から呼出音出力指令が供給されたときに、呼出音の音信号を生成して音入出力部１７に出力する。
【００１７】
音入出力部１７は、図２に示すようにインターホン親機１の筐体に組み込まれたスピーカ１７ａおよびマイクロホン１７ｂを用いて音の入出力を行うものであり、音回路部１６から入力された音声信号を音声に変換してスピーカ１７ａから出力するとともに、主に住居の居住者がマイクロホン１７ｂに向かって発話した音声を音声信号に変換して、音回路部１６に出力する。また、音入出力部１７は、音回路部１６から呼出音の音信号が入力されると、この音信号を呼出音に変換してスピーカ１７ａから出力する。
【００１８】
操作入力部１８は、図２に示すようにインターホン親機１の筐体に設けられた通話釦１８ａやその他の各種操作釦１８ｂの操作入力を受け付けるものであり、これら通話釦１８ａや各種操作釦１８ｂが押圧操作されたときに、その操作に応じた操作信号を制御部１９に出力する。
【００１９】
制御部１９は、例えば、制御プログラムを実装したマイクロコンピュータからなり、制御プログラムに従ってインターホン親機１全体の動作を統括的に制御する。この制御部１９は、特に、本実施形態のインターホンシステムにおいて特徴的な機能として、ドアホン子器２から送信された呼出信号に基づいてドアホン子器２の後述する呼出釦２６ａ（図３参照）の押圧時間を判定する機能を有しており、呼出釦２６ａが所定時間（例えば１．５秒）以上に亘って押圧操作されたと判定したときのみ、音回路部１６に対して呼出音出力指令を供給してスピーカ１７ａから呼出音を出力させ、呼出釦２６ａの押圧時間が所定時間に満たない場合は、スピーカ１７ａからの呼出音の出力を禁止するようにしている。また、この制御部１９は、ドアホン子器２の呼出釦２６ａが所定時間以上に亘って押圧操作されたと判定したときには、ドアホン子器２から通常の呼出バックトーン音を出力させるための第１の呼出応答信号を生成し、ドアホン子器２の呼出釦２６ａの押圧時間が所定時間に満たないと判定したときには、ドアホン子器２から通常の呼出バックトーン音とは異なるエラー用バックトーン音を出力させるための第２の呼出応答信号を生成して、生成した呼出応答信号を多重分離部１２からドアホン子器２へと送信させるようにしている。
【００２０】
ドアホン子器２は、給電回路部２１と、多重分離部２２と、映像撮影部２３と、音回路部２４と、音入出力部２５と、操作入力部２６と、制御部２７とを備えている。
【００２１】
給電回路部２１は、インターホン親機１の電源部１１により生成され、２線式信号線３を介してドアホン子器２に供給された電源を受電して、映像撮影部２３や音回路部２４などに給電する。
【００２２】
多重分離部２２は、インターホン親機１から送信され多重化されている音声信号および呼出応答信号を分離する。多重分離部２２により分離されたインターホン親機１からの音声信号は音回路部２４に供給され、呼出応答信号は制御部２７に供給される。また、多重分離部２２は、映像撮像部２３で撮像した映像の映像変調信号および音回路部２４からの音声信号、制御部２７で生成した呼出信号を多重化して、２線式信号線３を介してインターホン親機１に送信する。
【００２３】
映像撮像部２３は、制御部２７による制御に従って、図３に示すようにドアホン子器２の筐体に組み込まれたカメラ２３ａを用いてドアホン子器２周辺の映像を撮影し、撮影した映像の映像信号を変調して、多重分離部２２に出力する。
【００２４】
音回路部２４は、制御部２７による制御に従って、多重分離部２２で分離されたインターホン親機１からの音声信号を復調し増幅してから音入出力部２５に出力するとともに、音入出力部２５から入力された音声信号を増幅しＦＭ変調してから多重分離部２２に出力する。また、音回路部２４は、制御部２７から呼出バックトーン音出力指令が供給された場合は、呼出バックトーン音の音信号を生成して音入出力部２５に出力し、制御部２７からエラー用バックトーン音出力指令が供給された場合は、エラー用バックトーン音の音信号を生成して音入出力部２５に出力する。
【００２５】
音入出力部２５は、図３に示すようにドアホン子器２の筐体に組み込まれたスピーカ２５ａおよびマイクロホン２５ｂを用いて音の入出力を行うものであり、音回路部２４から入力された音声信号を音声に変換してスピーカ２５ａから出力するとともに、住居を来訪した来訪者がマイクロホン２５ｂに向かって発話した音声を音声信号に変換して、音回路部２４に出力する。また、音入出力部２５は、音回路部２４から呼出バックトーン音の音信号が入力されると、この音信号を呼出バックトーン音に変換してスピーカ２５ａから出力し、音回路部２４からエラー用バックトーン音の音信号が入力されると、この音信号をエラー用バックトーン音に変換してスピーカ２５ａから出力する。
【００２６】
操作入力部２６は、図３に示すようにドアホン子器２の筐体に設けられた呼出釦２６ａの操作入力を受け付けるものであり、この呼出釦２６ａの押圧操作をがあったときに、操作信号を制御部２７に出力する。
【００２７】
制御部２７は、例えば、制御プログラムを実装したマイクロコンピュータからなり、制御プログラムに従ってドアホン子器２全体の動作を統括的に制御する。この制御部２７は、特に、本実施形態のインターホンシステムにおいて特徴的な機能として、呼出釦２６ａが押圧操作されたときに、その押圧時間に応じて呼出バックトーン音とエラー用バックトーン音とを選択的にスピーカ２５ａから出力させる機能を有しており、インターホン親機１からの呼出応答信号として第１の呼出応答信号が入力されたときは、音回路部２４に対して呼出バックトーン音出力指令を供給して、スピーカ２５ａから呼出バックトーン音を出力させ、インターホン親機１からの呼出応答信号として第２の呼出応答信号が入力されたときは、音回路部２４に対してエラー用バックトーン音出力指令を供給して、スピーカ２５ａからエラー用バックトーン音を出力させるようにしている。
【００２８】
次に、以上のように構成される本実施形態のインターホンシステムの動作について、図４を参照しながら説明する。図４は、インターホン親機１およびドアホン子器２における一連の処理の流れを示すフローチャートである。
【００２９】
インターホン親機１およびドアホン子器２は、住居に来訪した来訪者によってドアホン子器２の呼出釦２６ａが押圧操作されるまで待機し（ステップＳ２−１）、来訪者によってドアホン子器２の呼出釦２６ａが押圧操作されると、ドアホン子器２がインターホン親機１に対して呼出信号を送信し（ステップＳ２−２）、インターホン親機１がドアホン子器２からの呼出信号を受信する（ステップＳ１−１）。このドアホン子器２とインターホン親機１との間での呼出信号の送受信は、来訪者により呼出釦２６ａが押圧されている間、継続される。
【００３０】
インターホン親機１は、ドアホン子器２からの呼出信号を受信すると、この呼出信号が途切れるまでの時間をカウントするとともに、ドアホン子器２への給電を開始する（ステップＳ２−２）。
【００３１】
ドアホン子器２は、インターホン親機１から電力が供給されると、映像撮影部２３を起動してドアホン子器２周辺の映像の撮影を開始し、撮影した映像の映像変調信号をインターホン親機１に対して送信する（Ｓ２−３）。また、ドアホン子器２は、インターホン親機１からの電力により音回路部２４を起動して、音の入出力が可能な状態とする。
【００３２】
インターホン親機１は、ドアホン子器２から映像変調信号が送信されると、この映像変調信号を映像信号に復調して、ドアホン子器２周辺の映像をモニタ画面１４ａに表示するとともに記録媒体に記録する（ステップＳ１−３）。この映像の表示および記録は、ドアホン子器２への給電を終了してドアホン子器２の映像撮影部２３が停止するまで継続される。
【００３３】
また、インターホン親機１は、ドアホン子器２からの呼出信号の送信継続時間に基づいて、ドアホン子器２の呼出釦２６ａの押圧操作が所定時間（例えば１．５秒）以上に亘って継続しているか否かを判定する（ステップＳ１−４）。そして、呼出釦２６ａの押圧操作が所定時間以上継続している場合には、ドアホン子器１に呼出バックトーン音を出力させるための第１の呼出応答信号を送信するとともに（ステップＳ１−５）、スピーカ１７ａから呼出音を出力する（ステップＳ１−６）。一方、呼出釦２６ａの押圧時間が所定時間未満であれば、ドアホン子器２にエラー用バックトーン音を出力させるための第２の呼出応答信号を送信する（ステップＳ１−７）。
【００３４】
ドアホン子器２は、インターホン親機１から第１の呼出応答信号または第２の呼出応答信号が送信されると、これを受信して（ステップＳ２−４）、受信した呼出応答信号に対応するバックトーン音をスピーカ２５ａから出力する（ステップＳ２−５）。すなわち、ドアホン子器２は、インターホン親機１から第１の呼出応答信号を受信した場合には、例えば「ピンポーン」といった通常の呼出バックトーン音をスピーカ２５ａから出力し、インターホン親機１から第２の呼出応答信号を受信した場合には、例えば「ピッピッ」といったエラー用バックトーン音をスピーカ２５ａから出力する。
【００３５】
インターホン親機１は、ドアホン子器２に対して第２の呼出応答信号を送信してエラー用バックトーン音を出力させた場合には、その後、例えば３．０秒程度の待機時間が経過（ステップＳ１−８）した後にドアホン子器２に対する給電を終了し（ステップＳ１−１３）、モニタ画面１４ａへの映像の表示および映像の記録を終了して（ステップＳ１−１４）、一連の処理を終了する。また、この場合、ドアホン子器２は、インターホン親機１からの給電終了によって映像撮影部２３への給電が遮断され、映像撮影部２３による映像の撮影を終了して（ステップＳ２−８）、一連の処理を終了する。
【００３６】
一方、インターホン親機１からドアホン子器２に対して第１の呼出応答信号が送信されて、ドアホン子器２が通常の呼出バックトーン音をスピーカ２５ａから出力した場合は、その後、インターホン親機１およびドアホン子器２は、住居の居住者によってインターホン親機１の通話釦１８ａが押圧操作されるまで待機する（ステップＳ１−９）。そして、所定の待機時間が経過する前に（ステップＳ１−１０）、居住者によりインターホン親機１の通話釦１８ａが押圧操作されると、インターホン親機１およびドアホン子器２が通話可能な状態とされて両者の間で音声信号の送受信が行われ、インターホン親機１のマイクロホン１７ｂから入力された居住者の音声がドアホン子器２のスピーカ２５ａから出力されるとともに、ドアホン子器２のマイクロホン２５ｂから入力された来訪者の音声がインターホン親機１のスピーカ１７ａから出力される（ステップＳ１−１１、ステップＳ２−６）。
【００３７】
そして、インターホン親機１とドアホン子器２との間での通話が終了すると（ステップＳ１−１２、ステップＳ２−７）、インターホン親機１は、ドアホン子器２に対する給電を終了し（ステップＳ１−１３）、モニタ画面１４ａへの映像の表示および映像の記録を終了して（ステップＳ１−１４）、一連の処理を終了する。また、ドアホン子器２は、インターホン親機１からの給電終了によって映像撮影部２３への給電が遮断され、映像撮影部２３による映像の撮影を終了して（ステップＳ２−８）、一連の処理を終了する。
【００３８】
以上、具体的な例を挙げながら詳細に説明したように、本実施形態のインターホンシステムでは、ドアホン子器２の呼出釦２６ａが所定時間以上に亘って押圧操作された場合に、インターホン親機１が呼出音を出力するとともに、ドアホン子器２が通常の呼出バックトーン音を出力し、ドアホン子器２の呼出釦２６ａの押圧時間が所定時間に満たない場合には、インターホン親機１からの呼出音の出力を禁止するとともに、ドアホン子器２が呼出バックトーン音とは異なるエラー用バックトーン音を出力するようにしている。
【００３９】
したがって、本実施形態のインターホンシステムによれば、例えば、不審者がドアホン子器２の呼出釦２６ａを押して直ぐに逃げるといった悪戯を行った場合には、呼出釦２６ａの押圧時間が不十分となるためにインターホン親機１から呼出音が出力されず、居住者に煩わしさを感じさせることがない。また、例えば、正規の来訪者による呼出釦２６ａの押圧操作が不十分な場合にもインターホン親機１から呼出音が出力されないことになるが、呼出釦２６ａの押圧時間が所定時間に満たない場合にはドアホン子器２から通常の呼出バックトーン音とは異なるエラー用バックトーン音が出力されるので、このエラー用バックトーン音により呼出釦２６ａの操作が十分でないことを来訪者に認識させることができ、呼出釦２６ａの十分な押圧操作を促すことができる。
【００４０】
また、本実施形態のインターホンシステムによれば、ドアホン子器２の呼出釦２６ａが押圧操作された場合に、その押圧時間の長さに係わらず、ドアホン子器２の映像撮影部２３により撮影したドアホン子器２周辺の映像をインターホン親機１のモニタ画面１４ａに表示したり記録媒体に記録したりするようにしているので、この映像をもとに悪戯を行う不審者を特定して、再犯防止を図ることができる。
【００４１】
なお、以上説明したインターホンシステムは本発明の一実施形態を例示的に示したものであり、本発明の技術的範囲が以上の実施形態で説明した内容に限定されることを意図するものではない。つまり、本発明の技術的範囲は、以上の実施形態の説明により開示した具体的な技術事項に限らず、この開示から容易に導きうる様々な変形、変更、代替技術なども含むものである。
【００４２】
例えば、上述したインターホンシステムでは、ドアホン子器２の呼出釦２６ａの押圧時間を判定する機能をインターホン親機１のみに持たせ、ドアホン子器２は、インターホン親機１からの呼出応答信号に応じて、通常の呼出バックトーン音とエラー用バックトーン音とのいずれかを選択的に出力するようにしているが、呼出釦２６ａの押圧時間を判定する機能をドアホン子器２にも持たせるようにして、ドアホン子器２が、自ら判定した呼出釦２６ａの押圧時間の長さに応じて、呼出釦２６ａの押圧時間が所定時間以上であれば通常の呼出バックトーン音を出力し、所定時間に満たない場合はエラー用バックトーン音を出力するようにしてもよい。
【図面の簡単な説明】
【００４３】
【図１】本発明を適用したインターホンシステムの構成を示すブロック図である。
【図２】インターホン親機の外観図である。
【図３】ドアホン子器の外観図である。
【図４】本発明を適用したインターホンシステムの動作を説明する図であり、インターホン親機およびドアホン子器における一連の処理の流れを示すフローチャートである。
【符号の説明】
【００４４】
１  インターホン親機
２  ドアホン子器
１４  映像出力部
１５  映像記録部
１６  音回路部
１７  音入出力部
１７ａ  スピーカ
１９  制御部
２３  映像撮影部
２４  音回路部
２５  音入出力部
２５ａ  スピーカ
２６ａ  呼出釦
【図１】
2010010836.tif 000003
【図２】
2010010836.tif 000004
【図３】
2010010836.tif 000005
【図４】
2010010836.tif 000006